(57)【要約】      （修正有）【課題】被打撃物の形状に関わらず、被打撃物を打撃した際に生じた粉塵等を十分に集塵することが可能な打撃工具を提供する。【解決手段】複数の打撃針１０と、打撃針１０の先端が露出する開口２１を有し、打撃針１０を収容する筒体２０と、打撃針１０の先端が開口２１を通して被打撃物を繰り返し打撃するように、打撃針１０を長手方向に沿って往復動させる駆動体４０と、打撃針１０の先端が被打撃物を打撃した際に生じる粉塵が筒体２０から飛散しないように、開口２１から被打撃物まで延長する伸縮体６０と、筒体２０に連通し、筒体２０の内部を負圧とすることによって粉塵を集塵する集塵器７０とを備える。【選択図】図１
2019206061.tif 000002
【特許請求の範囲】
【請求項１】
複数の打撃針と、
前記複数の打撃針の先端が露出する開口を有し、前記複数の打撃針を収容する筒体と、
前記複数の打撃針の先端が前記開口を通して被打撃物を繰り返し打撃するように、前記複数の打撃針を長手方向に沿って往復動させる駆動体と、
前記複数の打撃針の先端が前記被打撃物を打撃した際に生じる粉塵が前記筒体から飛散しないように、前記開口から前記被打撃物まで延長する伸縮体と、
前記筒体に連通し、前記筒体の内部を負圧とすることによって前記粉塵を集塵する集塵器と、
を備えたことを特徴とする打撃工具。
【請求項２】
前記伸縮体は、伸長する方向の弾性力によって前記被打撃物に密着する
ことを特徴とする請求項１に記載の打撃工具。
【請求項３】
前記伸縮体は、蛇腹形状を呈する
ことを特徴とする請求項１に記載の打撃工具。
【請求項４】
前記伸縮体は、ゴム材料又は樹脂材料を用いて形成される
ことを特徴とする請求項３に記載の打撃工具。
【請求項５】
前記集塵器は、前記複数の打撃針が往復動しているときに前記粉塵を集塵する
ことを特徴とする請求項１〜請求項５の何れか一項に記載の打撃工具。
【請求項６】
前記集塵器は、前記複数の打撃針が往復動を終了してから一定時間を経過した後に集塵を終了する
ことを特徴とする請求項５に記載の打撃工具。
【請求項７】
前記集塵器は、前記複数の打撃針が往復動を終了した後、前記粉塵の量が所定量を下回ったときに集塵を終了する
ことを特徴とする請求項５に記載の打撃工具。
【発明の詳細な説明】
【技術分野】
【０００１】
本発明は、打撃工具に関する。
【背景技術】
【０００２】
複数の打撃針（ニードル）を長手方向に連続的に往復動させることによって、被打撃物に衝撃を与える打撃工具が知られている（例えば特許文献１を参照）。
【０００３】
打撃工具を用いることによって、溶接作業後のスパッタの除去、コンクリートや岩盤の表面の目荒らし、船舶に付着した貝殻の除去、建物の壁面の斫り、ショットピーニング等の作業を行うことができる。
【先行技術文献】
【特許文献】
【０００４】
【特許文献１】特開２００４−１２２６１８号公報
【発明の概要】
【発明が解決しようとする課題】
【０００５】
ここで、特許文献１に開示される打撃工具は、被打撃物を打撃した際に生じる破片や粉塵が飛散しないように、被打撃物に対面する複数の打撃針の先端を覆うスカートと、複数の打撃針を収容する筒体に負圧を与えることによって破片や粉塵を吸引する集塵器と、を備えている。
【０００６】
しかし、被打撃物は種類に応じて様々な形状を呈しているのが現状である。そのため、被打撃物の形状によっては、被打撃物の表面とスカートとの間に筒体内の負圧に影響を与える程度の隙間を生じ、筒体内の破片や粉塵を十分に吸引できなくなる虞があった。
【０００７】
そこで、本発明は、被打撃物の形状に関わらず、複数の打撃針が被打撃物を打撃した際に生じた筒体内の粉塵等を十分に集塵することが可能な打撃工具を提供することを目的とする。
【課題を解決するための手段】
【０００８】
前述した課題を解決する主たる本発明は、打撃工具であって、複数の打撃針と、前記複数の打撃針の先端が露出する開口を有し、前記複数の打撃針を収容する筒体と、前記複数の打撃針の先端が前記開口を通して被打撃物を繰り返し打撃するように、前記複数の打撃針を長手方向に沿って往復動させる駆動体と、前記複数の打撃針の先端が前記被打撃物を打撃した際に生じる粉塵が前記筒体から飛散しないように、前記開口から前記被打撃物まで延長する伸縮体と、前記筒体に連通し、前記筒体の内部を負圧とすることによって前記粉塵を集塵する集塵器と、を備える。
【０００９】
本発明の他の特徴については、添付図面及び本明細書の記載により明らかとなる。
【発明の効果】
【００１０】
本発明によれば、被打撃物の形状に関わらず、複数の打撃針が被打撃物を打撃した際に生じた筒体内の粉塵等を十分に集塵することが可能となる。
【図面の簡単な説明】
【００１１】
【図１】本実施形態に係る打撃工具を示す側面図である。
【図２】本実施形態に係る打撃工具を示す上面図である。
【図３】本実施形態に係る打撃工具を示す側断面図である。
【図４】本実施形態に係る打撃工具が被打撃物を打撃する様子を示す側断面図である。
【発明を実施するための形態】
【００１２】
本明細書および添付図面の記載により、少なくとも以下の事項が明らかとなる。
【００１３】
＝＝＝打撃工具の構成＝＝＝
図１は、本実施形態に係る打撃工具を示す側面図である。図２は、本実施形態に係る打撃工具を示す上面図である。図３は、本実施形態に係る打撃工具を示す側断面図である。
【００１４】
以下、図１〜図３を参照しつつ、打撃工具の詳細について説明する。
【００１５】
打撃工具１は、溶接作業後のスパッタの除去、コンクリートや岩盤の表面の目荒らし、船舶に付着した貝殻の除去、建物の壁面の斫り、ショットピーニング等の作業を行うために、複数の打撃針（ニードル束）を長手方向に連続的に往復動させることによって、これらの被打撃物に衝撃を与える工具である。
【００１６】
打撃工具１は、複数の打撃針１０、筒体２０、グリップ３０、駆動源４０、レバー５０、伸縮体６０、集塵器７０を含んで構成されている。
【００１７】
複数の打撃針１０は、被打撃物の表面を連続的に打撃するために束ねられている針束である。複数の打撃針１０は、例えば、強靭で耐摩耗性を有する材料である硬鋼線を用いて形成されている。
【００１８】
筒体２０は、両端に開口２１，２２を有するとともに管壁に開口２３を有し、複数の打撃針１０の両端が開口２１，２２から露出するように複数の打撃針１０を収容する収容体である。尚、打撃工具１の動作が停止しているとき、複数の打撃針１０における被打撃物と対向する側の先端が開口２１から突出した状態となって停止するように、複数の打撃針１０は筒体１０内に配置されることとする。更に、複数の打撃針１０は開口２１から開口２２への方向に弾性付勢されることとする。
【００１９】
グリップ３０は、作業者が打撃工具１を用いて作業を行う際に握る部分であって、作業者が一般的に握りやすい形状を呈している。グリップ３０は、中空形状を呈し、グリップ３０の開口３１が筒体２０の開口２２と連通するように筒体２０と結合されている。
【００２０】
駆動源４０は、複数の打撃針１０を長手方向に連続的に往復動させるための駆動力を発生する。駆動源４０は、例えば電動機又は圧縮空気を用いて駆動力を発生する構造を採用することとするが、両者とも周知の構造を採用すればよいため詳細な説明を省略する。駆動源４０は、複数の打撃針１０が弾性力に抗して被打撃物を打撃するように、筒体２０の開口２２から露出する複数の打撃針１０の先端を駆動力に従って連続的に打撃するハンマー（不図示）を有する。駆動源４０は、ハンマーが筒体２０の開口２２から露出する複数の打撃針１０の先端と対向するように、グリップ３０の内部に収容される。駆動源４０には、電源コード４１を介して商用電源又はバッテリーから電力が供給される。
【００２１】
レバー５０は、駆動源４０の電源線を接続または遮断するスイッチである。レバー５０は、グリップ３０から離れる方向に弾性付勢されている。レバー５０を弾性力に抗してグリップ３０の側に押下すると、駆動源４０は電源線が接続されることによって動作を開始する。一方、レバー５０を弾性力に従って開放すると、駆動源４０は電源線が遮断されることによって動作を終了する。
【００２２】
伸縮体６０は、両端に開口６１，６２を有し、伸縮体６０の開口６１が筒体２０の開口２１と連通するように筒体２０と結合される部材である。伸縮体６０は、最も伸長したときに筒体２０の開口２１から突出する複数の打撃針１０の先端を完全に覆うだけの長さを有する。伸縮体６０は、筒体２０の開口２１から離れる方向（伸長する方向）に弾性付勢され、被打撃物に押し当てることによって弾性力に抗して被打撃物と密着しながら打撃工具１の姿勢に応じて伸縮する（破線、一点鎖線）。伸縮体６０は、例えば、蛇腹形状を呈し、伸長する方向に弾性付勢されるようにゴム材料や樹脂材料を用いて形成されてもよい。又、伸縮体６０は、例えば、伸長する方向に弾性付勢されるコイルバネに布材を張り付けて形成されてもよい。このように、伸縮体６０を用いることによって、複数の打撃針１０が被打撃物の表面を打撃することによって剥離して落下する破片や粉塵等は、周囲に飛散することなく筒体２０内に留まることとなる。
【００２３】
集塵器７０は、筒体２０内の破片や粉塵等を取り除く装置である。集塵器７０は、パイプ７１を介して筒体２０の開口２３と結合され、打撃工具１の姿勢に関わらず伸縮体６０が被打撃物に密着することを利用し、筒体２０内を負圧とすることによって筒体２０内の破片や粉塵等を吸引する。又、駆動源４０が動作を開始したときに集塵器７０も動作を開始し、駆動源４０が動作を終了したときに集塵器７０も動作を終了するように、駆動源４０及び集塵器７０における電源線の接続及び遮断を連係させてもよい。又、駆動源４０が動作を終了してから一定時間を経過した後に集塵器７０が動作を終了するように、駆動源４０及び集塵器７０の動作を連係させてもよい。又、筒体２０内の留まる破片や粉塵の量をセンサによって検出し、駆動源４０が動作を終了した後、筒体２０内に留まる破片や粉塵の量が所定量を下回ったときに集塵器７０が動作を終了するように、駆動源４０及び集塵器７０の動作を連係させてもよい。又、集塵器７０の吸引量を目視で確認できるようにしてもよい。
【００２４】
＝＝＝打撃工具の操作例＝＝＝
先ず、電源コード４１を商用電源又はバッテリーに接続する。
【００２５】
次に、打撃工具１のグリップを握りながら、伸縮体６０の弾性力に抗して伸縮体６０の開口６２を被打撃物の表面に押し当てる。このとき、伸縮体６０は弾性力に従って被打撃物に密着する。
【００２６】
次に、レバー５０をグリップ３０の側に押下する。このとき、駆動源４０及び集塵器７０のそれぞれの電源線が接続される。駆動源４０が動作を開始すると、ハンマーが筒体２０の開口２２から露出する複数の打撃針１０の先端を連続的に打撃し、複数の打撃針１０が長手方向に連続的に往復動し、筒体２０の開口２１から露出する複数の打撃針１０の先端は被打撃物を打撃する。そして、被打撃物から剥離して落下した破片や粉塵等は、周囲に飛散することなく筒体２０内に留まる。一方、集塵器７０が動作を開始すると、伸縮体６０が被打撃物に密着しているために筒体２０内は瞬時に負圧となって、筒体２０内の破片や粉塵等は瞬時に吸引される。
【００２７】
次に、レバー５０を開放する。このとき、駆動源４０及び集塵器７０のそれぞれの電源線が遮断される。これによって、駆動源４０及び集塵器７０は動作を終了する。尚、先に説明したように、集塵器７０の動作は、駆動源４０の動作が終了してから一定時間後に終了してもよいし、駆動源４０の動作が終了した後、筒体２０内に留まる破片や粉塵の量が所定量を下回ったときに終了するようにしてもよい。
【００２８】
＝＝＝まとめ＝＝＝
以上説明したように、本実施形態に係る打撃工具１は、複数の打撃針１０と、複数の打撃針１０の先端が露出する開口２１を有し、複数の打撃針１０を収容する筒体２０と、複数の打撃針１０の先端が開口２１を通して被打撃物を繰り返し打撃するように、複数の打撃針１０を長手方向に沿って往復動させる駆動源４０と、複数の打撃針１０の先端が被打撃物を打撃した際に生じる破片や粉塵等が筒体２０から飛散しないように、開口２１から被打撃物まで延長する伸縮体６０と、筒体２０に連通し、筒体２０の内部を負圧とすることによって破片や粉塵等を集塵する集塵器７０と、を備える。本実施形態によれば、被打撃物の形状や打撃工具１の姿勢に関わらず、複数の打撃針１０が被打撃物を打撃した際に生じた筒体２０内の粉塵等を十分に集塵することが可能となる。又、伸縮体６０が被打撃物に密着するため、被打撃物の打撃領域を確実に定めることが可能となる。又、伸縮体６０が複数の打撃針１０を覆うため、複数の打撃針１０が被打撃物を打撃した際の騒音を抑えることが可能となる。
【００２９】
又、本実施形態に係る打撃工具１において、伸縮体６０は、伸長する方向の弾性力によって被打撃物に密着する。そのために、伸縮体は、蛇腹形状を呈し、ゴム材料又は樹脂材料を用いて形成されてもよい。
【００３０】
又、本実施形態に係る打撃工具１において、集塵器７０は、複数の打撃針１０が往復動しているときに破片や粉塵等を集塵する。これによって、作業時間を短縮することが可能となる。
【００３１】
又、本実施形態に係る打撃工具１において、集塵器７０は、複数の打撃針１０が往復動を終了してから一定時間を経過した後に集塵動作を終了してもよく、複数の打撃針１０が往復動を終了した後、破片や粉塵等の量が所定量を下回ったときに集塵動作を終了してもよい。これによって、筒体２０内の破片や粉塵等を確実に集塵することが可能となる。
【００３２】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００３３】
１  打撃工具
１０  打撃針
２０  筒体
２１，２２，２３，３１，６１，６２  開口
３０  グリップ
４０  駆動源
５０  レバー
６０  伸縮体
７０  集塵器
７１  パイプ
【図１】
2019206061.tif 000003
【図２】
2019206061.tif 000004
【図３】
2019206061.tif 000005
【図４】
2019206061.tif 000006